(57)【要約】【課題】電話装置の大型化及びコストアップを解消し、電話装置における設定を変更できる電話装置、電話装置の設定変更方法及びプログラムを提供する。【解決手段】フックスイッチを備えた電話装置であって、フックスイッチがオフのときに当該フックスイッチが連続してオンされてオフされるフック操作の回数を、予め定められた時間内で検出し、検出したフック操作の回数の数値を、電話装置の所定の設定を変更するために用いることを特徴とする。【選択図】図２
2011250017.tif 000002
【特許請求の範囲】
【請求項１】
フックスイッチを備えた電話装置であって、
前記フックスイッチがオフのときに当該フックスイッチが連続してオンされてオフされるフック操作の回数を、予め定められた時間内で検出し、
検出した前記フック操作の回数の数値を、前記電話装置の所定の設定を変更するために用いることを特徴とする電話装置。
【請求項２】
前記フック操作の回数の数値を、予め定められた前記電話装置の所定の設定の内容を示すシステムデータの変更に用いることを特徴とする請求項１記載の電話装置。
【請求項３】
前記フック操作の回数の数値を、前記システムデータの値に直接置き換えることで、当該システムデータを変更することを特徴とする請求項２記載の電話装置。
【請求項４】
前記フック操作の回数の数値を、前記電話装置が備える動作モードの変更に用いることを特徴とする請求項１から３のいずれか１項に記載の電話装置。
【請求項５】
前記フック操作の回数の数値を、予め定められた数分検出したことをトリガとして、当該数値を電話番号として認識し、当該電話番号に発呼を行うことを特徴とする請求項１から４のいずれか１項に記載の電話装置。
【請求項６】
フックスイッチを備えた電話装置が所定の設定の変更を行う電話装置の設定変更方法であって、
前記フックスイッチがオフのときに当該フックスイッチが連続してオンされてオフされるフック操作の回数を、予め定められた時間内で検出し、
検出した前記フック操作の回数の数値を、前記電話装置の所定の設定を変更するために用いることを特徴とする電話装置の設定変更方法。
【請求項７】
フックスイッチを備えた電話装置に実行させるためのプログラムであって、
前記フックスイッチがオフのときに当該フックスイッチが連続してオンされてオフされるフック操作の回数を、予め定められた時間内で検出する処理と、
検出した前記フック操作の回数の数値を、前記電話装置の所定の設定を変更するために用いる処理と、
を前記電話装置に実行させることを特徴とするプログラム。
【発明の詳細な説明】
【技術分野】
【０００１】
本発明は、緊急時や非常時に使用され、予め定められた宛先に対して発呼を行う電話装置、電話装置の設定変更方法及びプログラムに関する。
【背景技術】
【０００２】
例えば銀行のＡＴＭ（Automatic Tellers Machine：現金預払機）コーナーや病院の病室等に設置され、緊急時や非常時に使用される電話装置（ガイドホン）が知られている。このような電話装置では、内線か外線かを問わず、予め定められた宛先（例えばＡＴＭの管理者側や看護師待機室）に発呼を行うようになっている。また、このような電話装置には、ユーザがハンドセット（受話部及び送話部）を本体から持ち上げる（フックアップする）だけで、ダイヤル操作を行わずに発呼できるようになっているものがある（例えば特許文献１参照）。
【先行技術文献】
【特許文献】
【０００３】
【特許文献１】特開平１１−２８９３７４号公報
【発明の概要】
【発明が解決しようとする課題】
【０００４】
上述した電話装置において予め定められた設定（例えば宛先の番号）が変更される場合、本体に備えられたテンキーが使用されたり、あるいは、本体に外部装置（例えば他の電話機やパソコン）等が接続され、その外部装置が使用されたりする。そのため電話装置には、例えば図６に示すように、本体２０の表面において、テンキー３０や外部装置と接続するためのインターフェース３２、３３等を備える必要がある。また、図示していないが、テンキー３０やインターフェース３２、３３からの入力を処理するための回路等を、本体２０の内部に備える必要もある。このようなことから、上述した電話装置では、装置が大型化し、コストもかかるという問題があった。なお、特許文献１の電話機も、テンキーやモード切替スイッチなどを備える構成となっており、装置の大型化及びコストアップの問題は解消されていない。
【０００５】
本発明は、上記事情に鑑みてなされたものであり、電話装置の大型化及びコストアップを解消し、電話装置における設定を変更できる電話装置、電話装置の設定変更方法及びプログラムを提供することを目的とする。
【課題を解決するための手段】
【０００６】
かかる目的を達成するために、本発明の第１の態様は、フックスイッチを備えた電話装置であって、フックスイッチがオフのときに当該フックスイッチが連続してオンされてオフされるフック操作の回数を、予め定められた時間内で検出し、検出したフック操作の回数の数値を、電話装置の所定の設定を変更するために用いることを特徴とする。
【０００７】
本発明の第２の態様は、フックスイッチを備えた電話装置が所定の設定の変更を行う電話装置の設定変更方法であって、フックスイッチがオフのときに当該フックスイッチが連続してオンされてオフされるフック操作の回数を、予め定められた時間内で検出し、検出したフック操作の回数の数値を、電話装置の所定の設定を変更するために用いることを特徴とする。
【０００８】
本発明の第３の態様は、フックスイッチを備えた電話装置に実行させるためのプログラムであって、フックスイッチがオフのときに当該フックスイッチが連続してオンされてオフされるフック操作の回数を、予め定められた時間内で検出する処理と、検出したフック操作の回数の数値を、電話装置の所定の設定を変更するために用いる処理と、を電話装置に実行させることを特徴とする。
【発明の効果】
【０００９】
本発明によれば、電話装置の大型化及びコストアップを解消し、電話装置における設定を変更することが可能となる。
【図面の簡単な説明】
【００１０】
【図１】本発明の一実施形態に係る電話装置の外観の一例を示す正面図である。
【図２】本発明の一実施形態に係る電話装置の内部構成の一例を示すブロック図である。
【図３】本発明の一実施形態に係る電話装置の設定モード移行前の動作例を示すフローチャートである。
【図４】本発明の一実施形態に係る電話装置の設定モードへ移行した後の動作の一例を示すフローチャートである。
【図５】本発明の一実施形態に係る電話装置の設定モードへ移行した後の動作の別例を示すフローチャートである。
【図６】本発明に関連する電話装置の外観の一例を示す図である。
【発明を実施するための形態】
【００１１】
以下、本発明を実施するための形態（実施形態）について添付図面を参照して詳細に説明する。
【００１２】
本発明の電話装置の一実施形態として、以下では、例えば銀行のＡＴＭコーナーや病院の病室等に設置され、緊急時や非常時に使用されるガイドホンを例に説明するが、本発明の電話装置は、フックスイッチを備えていれば、ガイドホン以外の電話機にも適用可能である。図１に、本実施形態の電話装置の外観を示す。
【００１３】
図１に示すように、本実施形態の電話装置は、本体２０とハンドセット２１を有する。ハンドセット２１は、受話機能（レシーバ）と送話機能（マイク）を備えており、本体２０に有線（又は無線であってもよい）で接続されている。ハンドセット２１は、未使用時には本体２０の収納部分に収納され、使用時には本体２０から持ち上げられる。
【００１４】
本体２０の表面には、電源ボタン２２、第１ランプ２３、第２ランプ２４、フックスイッチ２５、スピーカ２６が備えられている。電源ボタン２２は、電話装置の電源のオン、オフを切り替えるときに押下されるボタンである。第１ランプ２３は、電源のオン、オフ状態をユーザに知らせるためのものであり、電話装置の電源がオンのときに点灯し、電源がオフのときに消灯する。第２ランプ２４は、電話装置における設定を変更するモード（以下設定モードという）に移行可能な状態であるかをユーザに知らせるためのものであり、設定モードへ移行可能なときに点灯し、設定モードへ移行不可能なときに消灯する。第１ランプ２３及び第２ランプ２４の例としては、ＬＥＤ（Light Emitting Diode）等が挙げられる。フックスイッチ２５は、ハンドセット２１の収納部分に設けられており、ハンドセット２１の収納時にはハンドセット２１の押下によりオン状態となり、ハンドセット２１の未収納時にはハンドセット２１の持ち上げによりオフ状態となる。また、フックスイッチ２５は、ハンドセット２１が持ち上げられてオフ状態にあるときに、ユーザの指などによって押下可能となっている。すなわち、フックスイッチ２５は、ユーザが指で押下するとオン状態となり、ユーザが指を離すとオフ状態となる。スピーカ２６は、ユーザに対して、ガイド音声や通話相手の音声が出力される放音部である。
【００１５】
次に、本実施形態の電話装置の内部構成について図２を参照して説明する。
【００１６】
本実施形態の電話装置は、図２に示すように、フック操作検出回路１、直流シンク回路２、ハンドセット回路３、着信検出回路４、制御手段５、タイマ回路６、フック操作カウント回路７、電源回路９、記憶手段１０、メッセージ送出回路１１、スピーカ回路１２、ランプ表示回路１３を有する。
【００１７】
フック操作検出回路１は、ユーザにより行われるフック操作（フックスイッチ２５に対する操作）を検出する回路である。なお、フック操作とは、一般的に、フックスイッチ２５をオン又はオフにする操作を言うが、本実施形態では、フックスイッチ２５がオフ状態のときに、フックスイッチ２５が連続的にオン、オフする操作を、フック操作と言う。つまり、フックスイッチ２５がオフ状態のときにフックスイッチ２５が押下されてオン状態になり、すぐにその押下が解除されて再びオフ状態になることで、フック操作が１回行われたと数える。フック操作検出回路１は、フック操作によって起こる電圧の変化を基に、１回のフック操作を認識する。そして、フック操作検出回路１は、フック操作が１回行われたことを認識すると、その旨を示す信号をフック操作カウント回路７へ送出する。
【００１８】
直流シンク回路２は、一般加入回線（公衆電話網）と接続される回路である。直流シンク回路２は、制御手段５からの命令を受けて、予め定められた宛先に対して発呼を行う。また、所定の発信元から着信を受けたときに、直流シンク回路２は、制御手段５からの命令を受けて、ハンドセット３を介しての通話を可能にする。なお、本実施形態では、外線である一般加入回線を例に説明するが、内線に対しても以下に説明する本実施形態の特徴を同様に適用することができる。
【００１９】
ハンドセット回路３は、直流シンク回路２を介してハンドセット２１のレシーバ及びマイクと接続され、ハンドセット２１における受話及び送話を可能とする回路である。
【００２０】
着信検出回路４は、例えば一般加入回線の所定の発信元からの着信を検出する回路である。着信検出回路４は、着信によって起こる電圧の変化を基に、着信の有無を認識する。そして、着信検出回路４は、着信の有無を認識すると、その旨を示す信号を制御手段５へ送出する。
【００２１】
タイマ回路６は、予め定められた時間を計測する回路である。タイマ回路６は、制御手段５からの命令を受けて、時間の計測を開始（タイマスタート）したり、時間の計測を終了して、計測した時間をクリア（タイマクリア）したりする。また、タイマ回路６は、時間の計測を開始、終了した旨を示す信号をフック操作カウント回路７へ送出する。
【００２２】
フック操作カウント回路７は、フック操作検出回路１から送出された信号と、タイマ回路６から送出された信号とを基に、予め定められた時間内にフック操作が何回行われたかをカウントする回路である。フック操作カウント回路７は、カウントしたフック操作の回数を示す信号を制御手段５へ送出する。
【００２３】
電源回路９は、電源ボタン２２と接続され、電源ボタン２２のオン、オフ操作を認識することで、電話装置の電源の供給を制御する回路である。電源回路９は、電源ボタン２２の操作により電源がオンされると、制御手段５に対し、電話装置の動作に必要な電流を供給する。また、電源回路９は、電源ボタン２２の操作により電源がオフされると、制御手段５に対して供給中の電流を停止する。
【００２４】
記憶手段１０は、各種データを記憶するメモリ（例えば不揮発性メモリ）である。記憶手段１０に対するデータの読み出し及び書き込みは、制御手段５によって行われる。記憶手段１０に記憶されるデータの例としては、システムデータが挙げられる。システムデータとは、電話装置における各種設定の内容を示すデータであり、例えば、宛先の電話番号、宛先への呼び出し回数、動作モードなどが挙げられる。本実施形態の電話装置では、上記システムデータの変更を行うことにより、電話装置における各種設定を変更するものである。
【００２５】
メッセージ送出回路１１は、制御手段５からの命令を受けて、所定のメッセージ（音声ガイド）や鳴動音を示すデータをスピーカ回路１２へ送出する。なお、所定のメッセージや鳴動音を示すデータは、メッセージ送出回路１１又は記憶手段１０に予め記憶されている。
【００２６】
スピーカ回路１２は、メッセージ送出回路１１からのデータを音声として、スピーカ２６に送出する。これにより、スピーカ２６からメッセージや鳴動音が出力される。
【００２７】
ランプ表示回路１３は、制御手段５からの命令を受けて、第１ランプ２３及び第２ランプ２４の点灯、消灯を行う回路である。
【００２８】
制御手段５は、上述したように、各種回路や手段に対して制御信号（命令）を送出し、電話装置全体の動作を制御する。また、制御手段５は、一時的にデータを保存（キャッシュ）することもできる。制御手段５の例としては、例えばＣＰＵ（Central Processing Unit）及びＲＡＭ（Random Access Memory）が挙げられる。
【００２９】
次に、上記のように構成された本実施形態の電話装置の動作例について説明する。
【００３０】
まず、通常モードの動作について説明する。通常モードとは、本実施形態の電話装置が備える動作モードの一例であり、電話装置の電源がオンされた状態で、着信の待ち受けと予め定められた宛先への発呼（発信）を可能とするモードである。
【００３１】
電話装置が待ち受け状態にあるときに、電話をかけたいユーザが、本体２０に収納されているハンドセット２１を持ち上げると、フック操作検出回路１は、フックスイッチ２５がオフ状態となったことを検出し、制御手段５へ通知する。通知とは、「信号の送出」を意味する（以下同じ）。
【００３２】
その通知を受けた制御手段５は、記憶手段１０から予め定められた宛先の電話番号を読み出し、直流シンク回路２のダイヤル送出回路を使って、宛先へのダイヤル発信を行う。このように、本実施形態の電話装置は、ユーザがハンドセット２１を本体２０から持ち上げるだけで、ダイヤル操作を行わずに発呼できる。
【００３３】
その後、宛先の相手が応答すると、ユーザは、直流シンク回路２と接続されたハンドセット回路３及びハンドセット２１を通じて、相手と通話することが可能になる。
【００３４】
また、電話装置が待ち受け状態にあるときに、所定の発信元からの着信があると、着信検出回路４は、その着信を検出し、制御手段５へ通知する。
【００３５】
その通知を受けた制御手段５は、メッセージ送出回路１１及びスピーカ回路１２を使って、スピーカ２６から鳴動音「ジリリリリン」を出力する。この鳴動音がなっている間にハンドセット２１が持ち上げられたことをフック操作検出回路１により検出されると、制御手段５は、直流シンク回路２をオンにする。これにより、ユーザは、ハンドセット回路３及びハンドセット２１を介して、発信元の相手と通話ができるようになる。
【００３６】
以上のように、通常モードにおける発信及び着信の動作は、一般的なガイドホン等で採用されているモードである。なお、本実施形態では、ユーザがハンドセット２１を本体２０から持ち上げたことをトリガとして発呼を行う構成としているが、ユーザがハンドセット２１を本体２０から持ち上げた後で、本体２０又はハンドセット２１に設けられた図示しない発呼用ボタンを押下することをトリガとして発呼を行う構成であってもよい。すなわち、本実施形態の電話装置は、ユーザがダイヤル操作を行わずに予め指定された宛先へ発呼できるものであればよい。
【００３７】
次に、設定モードへ移行するための準備段階の動作について、図３を参照して説明する。設定モードとは、本実施形態の電話装置が備える動作モードの一例であり、電話装置の電源がオンされた状態で、電話装置の各種設定の変更を可能とするモードである。設定モードは、基本的に電話装置の管理者によって行われる。よって、以下に説明する図３の動作も、電話装置の管理者によって行われる。
【００３８】
管理者はまず、電源がオンされて通常モードである電話装置に対して、設定モードへ移行できる状態（設定モード移行可能状態）にするための操作を行う。この操作の例は２つある。１つは、管理者が、電源ボタン２２を押下して電源をオフにした後すぐに、再度電源ボタン２２を押下して電源をオンにする操作（操作例１）である。もう１つは、管理者が、携帯電話等を用いて電話装置に電話をかけ、すぐに切る操作（操作例２）である。操作例２は、電話装置の番号が予め判明している場合のみ有効となる。電話装置は、管理者によって行われる上記いずれかの操作を受け付ける（Ｓ１）。すなわち、上記いずれかの操作が行われると、電源回路９（操作例１の場合）又は着信検出回路４（操作例２の場合）から、行われた操作に応じた信号が制御手段５へ送出される。制御手段５は、受け取った信号を基に、設定モード移行可能状態にする操作が行われたことを認識し、電話装置を設定モード移行可能状態にする。この状態のとき、通常モードではあるが、制御手段５が、一時的に着信及び発信を受け付けないように制御してもよい。
【００３９】
Ｓ１の後、制御手段５は、タイマ回路６に対して時間の計測を開始するように命令し、また、ランプ表示回路１３に対して第２ランプ２３を点灯するように命令する。これにより、タイマ回路６は予め定められた時間（例えば７秒間）の計測を開始し、ランプ表示回路１３は第２ランプ２３を点灯させる（Ｓ２）。第２ランプ２３の点灯により、管理者は、設定モード移行可能状態になったことを認識できる。第２ランプ２３は７秒間点灯し、この間が設定モード移行可能状態となる。
【００４０】
設定モードへ移行させるには、７秒間において（Ｓ３／ＮＯ〜Ｓ５／ＮＯ）、フックスイッチ２５をオフにする操作が必要となる。７秒以内に管理者が本体２０に収納中のハンドセット２１を持ち上げると、フック操作検出回路１は、フックスイッチ２５のオフ状態を検出し、制御手段５へその旨を通知する（Ｓ３／ＹＥＳ）。その通知を受けた制御手段５は、通常モードから設定モードへ移行させる（Ｓ４）。設定モード移行後の動作例については、図４を用いて後述する。
【００４１】
一方、管理者がハンドセット２１を持ち上げず（フック操作検出回路１にてフックスイッチ２５のオフ状態が検出されず）に７秒が経過すると（Ｓ５／ＹＥＳ）、タイマ回路６は時間の計測を終了し、その旨を制御手段５へ通知する。その通知を受けた制御手段５は、タイマ回路６に対し、計測した時間をクリア（０にリセット）するように命令し、また、ランプ表示回路１３に対し、第２ランプ２３を消灯するように命令する。これにより、タイマ回路６は計測した時間をクリアして新たな計測を開始できる状態となり、ランプ表示回路１３は第２ランプ２３を消灯させる（Ｓ６）。第２ランプ２３の消灯により、管理者は、設定モード移行可能状態ではなくなったことを認識できる。
【００４２】
その後、制御手段５は、設定モード移行可能状態を解除し、通常モードを維持する（Ｓ７）。なお、設定モード移行可能状態になったときに、一時的に着信及び発信を受け付けないように制限されていた場合は、設定モード移行可能状態の解除により、再び着信及び発信が行える状態になる。
【００４３】
次に、設定モードへ移行した後の動作（本発明の電話装置の設定変更方法の一実施形態）について、図４を参照して説明する。ここでは、設定モードで変更されるシステムデータの設定内容の例として、予め定められた宛先の電話番号（１０桁）とする。
【００４４】
設定モードへ移行すると（Ｓ４）、制御手段５は、７秒を計測中のタイマ回路６に対し、計測を終了して、これまでに計測した時間をクリア（０にリセット）するとともに、新たに予め定められた時間（例えば３秒）の計測を開始するように命令する。これにより、タイマ回路６は、今度は３秒間の計測を開始する（Ｓ１１）。これと同時に、制御手段５は、メッセージ送出回路１１に対し、「ピッ」という開始音を出力するよう命令する。これにより、メッセージ送出回路１１は、スピーカ回路１２を介して、上記開始音をスピーカ２６から出力させる（Ｓ１１）。
【００４５】
上記開始音は、管理者に対し、３秒の開始を合図するためのものである。管理者は、この開始音が鳴ってから３秒以内に、入力したい数値と同じ数だけフック操作を行う。例えば、入力したい数値が「１」の場合、管理者は３秒以内にフック操作を１回行うようにする。入力したい数値が「０」の場合、管理者は３秒以内に、フック操作を行わないようにする、あるいは、フック操作を１０回行うようにする。なお、上記フック操作が行われるとき、ハンドセット２１は本体２０から外された状態である。よって、管理者は、指でフックスイッチ２５を押下することにより、上記フック操作を行う。
【００４６】
開始音の出力後、管理者によりフックスイッチ２５対してフック操作が１回行われると、フック操作検出回路１はそれを検出し、フック操作１回分を示す信号をフック操作カウント回路７に送出する（Ｓ１２／ＹＥＳ）。
【００４７】
フック操作カウント回路７は、フック操作検出回路１から上記信号を受けると、＋１としてカウントする（Ｓ１３）。
【００４８】
このようにして、３秒以内においてフック操作が行われる度に、フック操作カウント回路７はカウント値（フック操作の実行回数）を積算していく（Ｓ１４／ＮＯ〜Ｓ１２／ＹＥＳ〜Ｓ１３）。このカウント値は、最終的に、制御手段５により設定操作（所定の設定を変更するための値）として受け付けられることになる。
【００４９】
その後、タイマ回路６は、３秒間の計測を終えると、その旨をフック操作カウント回路７及び制御手段５へ通知する（Ｓ１４／ＹＥＳ）。
【００５０】
タイマ回路６から通知を受けた制御手段５は、メッセージ送出回路１１に対し、「ピピッ」という終了音を出力するよう命令する。これにより、メッセージ送出回路１１は、スピーカ回路１２を介して、上記終了音をスピーカ２６から出力させる（Ｓ１５）。この終了音は、管理者に対し、３秒の終了を合図するためのものである。これと同時に、制御手段５は、タイマ回路６に対し、計測した時間をクリアするとともに、新たに予め定められた時間（例えば５秒）の計測を開始するように命令する。これにより、タイマ回路６は、今度は５秒間の計測を開始する（Ｓ１５）。よって、上記終了音は、３秒の終了の合図であるとともに、５秒の開始を合図するものでもある。管理者は、上記終了音を認識した後で、設定変更（数値の入力）を続けたい場合には、５秒以内に１回のフック操作を行うことになる。このときの１回分のフック操作は、数値の入力とは関係ない（カウント値として積算されない）ものとしてもよいし、又は、数値の入力と関係ある（カウント値として積算する）ものとしてもよい。一方、タイマ回路６から通知を受けたフック操作カウント回路７は、３秒間で積算したカウント値を示す信号を制御手段５へ送出する。この送出後、カウント値はクリア（０にリセット）される。制御手段５は、フック操作カウント回路７からの信号を基に、そのカウント値を一時的に保存する（Ｓ１５）。
【００５１】
設定変更を続けたい管理者により５秒以内に１回のフック操作が行われると、フック操作検出回路１はそれを検出し、制御手段５へ通知する（Ｓ１６／ＹＥＳ）。その通知を受けた制御手段５は、５秒を計測中のタイマ回路６に対して、計測を終了して、これまでに計測した時間をクリアするとともに、予め定められた時間（例えば３秒）の計測を開始するように命令する。これにより、タイマ回路６は、今度は３秒間の計測を開始する（Ｓ１１）。これと同時に、制御手段５は、メッセージ送出回路１１に対し、「ピッ」という開始音を出力するよう命令する。これにより、メッセージ送出回路１１は、スピーカ回路１２を介して、上記開始音をスピーカ２６から出力させる（Ｓ１１）。このようにして、管理者のフック操作による２回目の設定変更（数値の入力）が開始される。
【００５２】
管理者は、以上の動作を、変更したい電話番号の桁数分繰り返す。例えば１０桁の電話番号の全ての桁の数字を変更する場合、上記動作が１０回行われる。これにより、制御手段５には、１０個のカウント値（数字）が一時的に保存される。
【００５３】
管理者は、設定変更を終了したい場合、設定変更を続けるための１回分のフック操作を行わずに（Ｓ１６／ＮＯ）、終了音から５秒間待機すればよい（Ｓ１７／ＹＥＳ）。この場合、タイマ回路６は、５秒の計測が終わると、その旨を制御手段５へ通知する。その通知を受けた制御手段５は、一時的に保存したカウント値を、予めなされている設定を変更するための値として受け付ける（Ｓ１８）。例えば、１０個のカウント値が保存された場合、制御手段５は、記憶手段１０にシステムデータとして予め定められた宛先の電話番号（１０桁）を、１０個のカウント値に置き換える。この置き換えは、例えば一時保存した順となる（最初に一時保存されたカウント値が電話番号の１桁目となる）。これにより、宛先の電話番号の変更が完了する。その後、設定モードから通常モードへ移行する。
【００５４】
なお、上記説明では、管理者が設定変更を終了したい場合、フック操作を行わずに５秒待機するようにしたが、設定変更を終了させる方法はこれに限定されない。例えば、Ｓ１２において予め定められた回数のフック操作が行われたことをトリガとし、そのカウント値を制御手段５が認識することで、設定変更を終了するようにしてもよい。この場合、管理者が、設定変更を終了させるために必要なフック操作の回数を予め知っておく必要がある。
【００５５】
また、上記図４の説明では、管理者が変更したい電話番号の各数字を入力し、入力された数値（カウント値）がそのまま予め定められた宛記の電話番号に置き換えられる例としたが、管理者により入力される数値は、上記のようにシステムデータの変更に直接用いられなくてもよい。その場合の例について、図５を参照して以下に説明する。図５は、管理者により入力された数値（カウント値）を用いて、動作モードを選択する例である。なお、図５の例では、電話装置が備える動作モードとして、上記設定モードの他に、確認モードがあるとする。確認モードとは、現在の設定内容を、音声により管理者に知らせるモードである。ここでは、確認モードにおいて現在設定中の電話番号（予め定められた宛先の電話番号）を知らせる例とする。
【００５６】
上記図４の動作により、所定のカウント値が制御手段５に受け付けられたとする（Ｓ１８）。このときは設定モードである。
【００５７】
ここで、制御手段５は、記憶手段１０を参照し、受け付けたカウント値が、予め定められた規定値であるかどうかを判断する（Ｓ２１）。規定値は、予め記憶手段１０に記憶されており、動作モードを選択するための値である。ここでは、例として、確認モードを選択するための値（第１規定値）として「１１」が、また、設定モードを選択するための値（第２規定値）として「１２」が、それぞれ記憶されているとする。
【００５８】
Ｓ２１の判断の結果、受け付けたカウント値が第１規定値「１１」及び第２規定値「１２」のいずれでもない場合（Ｓ２１／ＮＯ）、制御手段５は、受け付けたカウント値に該当する動作モードが無い旨のメッセージを例えば記憶手段１０から読み出し、そのメッセージを、メッセージ送出回路１１、スピーカ回路１２及びスピーカ２６を介して送出させる（Ｓ２２）。その後、制御手段５は、設定モードから通常モードへ移行させる（Ｓ２６）。
【００５９】
Ｓ２１の判断の結果、受け付けたカウント値が第１規定値「１１」である場合（Ｓ２１／第１規定値）、制御手段５は、設定モードから確認モードへ移行させ、現在設定中の電話番号を知らせるためのメッセージを例えば記憶手段１０から読み出し、そのメッセージを、メッセージ送出回路１１、スピーカ回路１２及びスピーカ２６を介して送出させる（Ｓ２３）。このメッセージは、例えば「現在設定されている宛先の電話番号は０３−○○○○−○○○○です」という音声である。これにより、管理者は、現在設定されている宛先を知ることができる。その後、制御手段５は、設定モードから通常モードへ移行させる（Ｓ２６）。
【００６０】
Ｓ２１の判断の結果、受け付けたカウント値が第２規定値「１２」である場合（Ｓ２１／第２規定値）、制御手段５は、現在設定中の電話番号の変更をこれから開始する旨のメッセージを例えば記憶手段１０から読み出し、そのメッセージを、メッセージ送出回路１１、スピーカ回路１２及びスピーカ２６を介して送出させる（Ｓ２３）。このメッセージは、例えば「現在設定されている宛先の電話番号を変更します。変更したい電話番号の入力を開始して下さい」という音声である。これにより、管理者は、現在設定されている宛先の変更の開始を認識できる。そして、制御手段５は、設定モードを維持したまま、図４のＳ１１の動作に移る（Ｓ２５）。その後は、図４で説明したように、管理者は、所望の電話番号に変更するために、フック操作による数値入力を行う。入力された数値（カウント値）は、図４のＳ１８で受け付けられた後、上述したように、現在設定中の電話番号に代わって、宛先の電話番号となる。
【００６１】
なお、上記図５の説明では、規定値毎に動作モードを対応付けておき、制御手段５が、受け付けたカウント値とその対応付けとを照合し、動作モードを選択する例としたが、動作モードの選択方法はこれに限定されない。例えば、受け付けた複数のカウント値に予め定められた規則性がある場合、制御手段５がその規則性を認識することで、動作モードの選択を行うようにしてもよい。上記図５の場合において、例えば、カウント値を３つ受け付けた場合、最初のカウント値が「１」か「２」かにより、確認モードへの変更か設定モードの維持かを、制御手段５が判断するようにする。また、制御手段５は、受け付けたカウント値の残りの２つの数字を、記憶手段１０におけるアドレスを示すものとして認識するようにする。このようにすることで、例えば３つのカウント値として「１」、「９」、「０」の順に受け付けた場合、制御手段５は、確認モードに変更するとともに、記憶手段１０のアドレス９０に記憶されているシステムデータの設定内容を示すメッセージをスピーカ２６より出力させる。また、例えば３つのカウント値として「２」、「９」、「０」の順に受け付けた場合、制御手段５は、設定モードを維持するとともに、記憶手段１０のアドレス９０に記憶されているシステムデータの設定内容の変更を開始するメッセージをスピーカ２６より出力させる（その後、図４のＳ１１へ移行）。
【００６２】
次に、本実施形態の電話装置におけるその他の例について説明する。本例の電話装置の基本的構成は上記実施形態で説明した通りである。本例では、上記設定モードにて予め定められた数分のカウント値を受け付けたときに、すぐにそれらのカウント値を使って、電話装置からダイヤル発信を行えるようにする。すなわち、制御手段５は、図４で説明したようにフック操作による所定数（例えば１０個）のカウント値を受け付けた場合に、それらのカウント値を１０桁の電話番号として認識してそのままダイヤル発信を行うようにする。この場合、制御手段５は、最初に入力された数値（カウント値）が「０」であれば、その後に入力される数値を電話番号と認識し、例えば１０個（予め定められた数）の数値を受け付けた時点で、直流シンク回路２のダイヤル送出回路を使ってダイヤル発信する。このように、本例によれば、管理者が、携帯電話などを持っておらず、電話装置の動作確認などのために、設定された宛先と違う宛先に対して一時的に電話したい場合などに、有効となる。
【００６３】
また、上記説明では、本実施形態の電話装置についてアナログ電話の構成を例に説明したが、それ以外の電話装置の構成にも適用可能である。例えば、電話装置において携帯通信モジュールを搭載する場合、図２に示す直流シンク回路２及び着信検出回路４をそれぞれ、上記携帯通信モジュールにおける発信機能及び着信検出機能に置き換えることで実現可能である。
【００６４】
以上説明したように、本実施形態の電話装置では、電話装置に必ず搭載されるハンドセットの持ち上げを検出するためのフックスイッチを利用して、設定変更のためのコマンド（数値）を入力することを特徴としている。よって、本実施形態の電話装置によれば、電話装置の設定を変更するためだけに使用される余計なデバイス（図６で説明したキー、インターフェース、回路等）を備えないようにできる。すなわち、本実施形態の電話装置によれば、電話装置の大型化及びコストアップを解消し、電話装置における設定を変更することができる。また、従来は、電話装置の設定を変更する際に、管理者は、上記インターフェースに接続するための設定機器（パソコンや電話機）を持参して、電話装置の設置場所に赴く必要があったが、本実施形態の電話装置では、上記特徴により、設定変更時に上記設定機器を持参する必要も無くなる。
【００６５】
以上、本発明の実施形態について説明したが、上記実施形態に限定されるものではなく、その要旨を逸脱しない範囲において種々の変形が可能である。
【００６６】
例えば、上述した実施形態における動作は、ハードウェア、または、ソフトウェア、あるいは、両者の複合構成によって実行することも可能である。
【００６７】
ソフトウェアによる処理を実行する場合には、処理シーケンスを記録したプログラムを、専用のハードウェアに組み込まれているコンピュータ内のメモリにインストールして実行させてもよい。あるいは、各種処理が実行可能な汎用コンピュータにプログラムをインストールして実行させてもよい。
【００６８】
例えば、プログラムは、記録媒体としてのハードディスクやＲＯＭ（Read Only Memory）に予め記録しておくことが可能である。あるいは、プログラムは、ＣＤ−ＲＯＭ（Compact Disc Read Only Memory）、ＭＯ（Magneto Optical）ディスク、ＤＶＤ（Digital Versatile Disc）、ＵＳＢ（Universal Serial Bus）メモリ、磁気ディスク、半導体メモリなどのリムーバブル記録媒体に、一時的、あるいは、永続的に格納（記録）しておくことが可能である。このようなリムーバブル記録媒体は、いわゆるパッケージソフトウエアとして提供することが可能である。
【００６９】
なお、プログラムは、上述したようなリムーバブル記録媒体からコンピュータにインストールする他、ダウンロードサイトから、コンピュータに無線転送してもよい。または、ＬＡＮ（Local Area Network）、インターネットといったネットワークを介して、コンピュータに有線で転送してもよい。コンピュータでは、転送されてきたプログラムを受信し、内蔵するハードディスク等の記録媒体にインストールすることが可能である。
【００７０】
また、上記実施形態で説明した処理動作に従って時系列的に実行されるのみならず、処理を実行する装置の処理能力、あるいは、必要に応じて並列的にあるいは個別に実行するように構築することも可能である。
【００７１】
上記の実施形態の一部又は全部は、以下の付記のようにも記載されうるが、以下には限られない。
【００７２】
（付記１）フックスイッチを備えた電話装置であって、前記フックスイッチがオフのときに当該フックスイッチが連続してオンされてオフされるフック操作の回数を、予め定められた時間内で検出し、検出した前記フック操作の回数の数値を、前記電話装置の所定の設定を変更するために用いることを特徴とする。
【００７３】
（付記２）前記フック操作の回数の数値を、予め定められた前記電話装置の所定の設定の内容を示すシステムデータの変更に用いることを特徴とする付記１記載の電話装置。
【００７４】
（付記３）前記フック操作の回数の数値を、前記システムデータの値に直接置き換えることで、当該システムデータを変更することを特徴とする付記２記載の電話装置。
【００７５】
（付記４）前記フック操作の回数の数値を、前記電話装置が備える動作モードの変更に用いることを特徴とする付記１から３のいずれか１項に記載の電話装置。
【００７６】
（付記５）前記フック操作の回数の数値を、予め定められた数分検出したことをトリガとして、当該数値を電話番号として認識し、当該電話番号に発呼を行うことを特徴とする付記１から４のいずれか１項に記載の電話装置。
【００７７】
（付記６）フックスイッチを備えた電話装置が所定の設定の変更を行う電話装置の設定変更方法であって、前記フックスイッチがオフのときに当該フックスイッチが連続してオンされてオフされるフック操作の回数を、予め定められた時間内で検出し、検出した前記フック操作の回数の数値を、前記電話装置の所定の設定を変更するために用いることを特徴とする電話装置の設定変更方法。
【００７８】
（付記７）フックスイッチを備えた電話装置に実行させるためのプログラムであって、前記フックスイッチがオフのときに当該フックスイッチが連続してオンされてオフされるフック操作の回数を、予め定められた時間内で検出する処理と、検出した前記フック操作の回数の数値を、前記電話装置の所定の設定を変更するために用いる処理と、を前記電話装置に実行させることを特徴とするプログラム。
【符号の説明】
【００７９】
１    フック操作検出回路
２    直流シンク回路
３    ハンドセット回路
４    着信検出回路
５    制御手段
６    タイマ回路
７    フック操作カウント回路
９    電源回路
１０    記憶手段
１１    メッセージ送出回路
１２    スピーカ回路
１３    ランプ表示回路
２０    本体
２１    ハンドセット
２２    電源ボタン
２３    第１ランプ
２４    第２ランプ
２５    フックスイッチ
２６    スピーカ
【図１】
2011250017.tif 000003
【図２】
2011250017.tif 000004
【図３】
2011250017.tif 000005
【図４】
2011250017.tif 000006
【図５】
2011250017.tif 000007
【図６】
2011250017.tif 000008